【手続補正書】
【提出日】平成16年8月24日(2004.8.24)
【手続補正１】
【補正対象書類名】明細書
【補正対象項目名】特許請求の範囲
【補正方法】変更
【補正の内容】
【特許請求の範囲】
【請求項１】
一酸化炭素と水蒸気とから水素と二酸化炭素とを生成するシフト反応を促進するシフト反応触媒であって、
前記シフト反応を促進する活性を有する触媒金属を備える触媒層と、
前記触媒層上の少なくとも一部の領域に設けられ、水蒸気を吸着可能な水蒸気吸着性物質を備える水蒸気吸着部とを備え、
前記水蒸気吸着性物質は、所定の条件下において、周囲との間で水蒸気のやり取りを実質的に行なわない平衡状態と、周囲の水蒸気分圧が前記平衡状態における周囲の水蒸気分圧よりも高いときに水蒸気を吸着する吸着状態と、周囲の水蒸気分圧が前記平衡状態における周囲の水蒸気分圧よりも低いときに水蒸気を放出する放出状態とをとることを特徴とする
シフト反応触媒。
【請求項２】
前記水蒸気吸着部は、前記触媒層上に分散した状態で存在することを特徴とする
請求項１記載のシフト反応触媒。
【請求項３】
前記水蒸気吸着部は、多孔質に形成されることを特徴とする
請求項１記載のシフト反応触媒。
【請求項４】
前記水蒸気吸着性物質は、ゼオライトであることを特徴とする
請求項１ないし３いずれか記載のシフト反応触媒。
【請求項５】
一酸化炭素を含有するガス中の一酸化炭素濃度を低減する一酸化炭素濃度低減方法であって、
（ａ）一酸化炭素と水蒸気とから水素と二酸化炭素とを生じるシフト反応を促進するシフト反応触媒を用い、該シフト反応触媒上に供給される水蒸気と、該シフト反応触媒上に供給される前記ガス中の一酸化炭素との間で前記シフト反応を進行させることによって、前記一酸化炭素濃度を低減する工程を備え、
前記シフト反応触媒は、前記シフト反応を促進する活性を有する触媒金属を備える触媒層と、該触媒層上の少なくとも一部の領域に設けられると共に水蒸気を吸着可能な水蒸気吸着性物質と、を備えており、
前記水蒸気吸着性物質は、前記（ａ）工程において、周囲との間で水蒸気のやり取りを実質的に行なわない平衡状態と、周囲の水蒸気を吸着する吸着状態と、周囲の水蒸気分圧の低下に伴って水蒸気を放出して前記シフト反応に供する放出状態とのうちのいずれかの状態をとることを特徴とする
一酸化炭素濃度低減方法。
【請求項６】
前記水蒸気吸着性物質は、ゼオライトであることを特徴とする
請求項５記載の一酸化炭素濃度低減方法。
【請求項７】
一酸化炭素を含有するガス中の一酸化炭素濃度を低減する一酸化炭素濃度低減装置であって、
一酸化炭素と水蒸気とから水素と二酸化炭素とを生じるシフト反応を促進するシフト反応触媒を備えるシフト部と、
一酸化炭素を含有するガスと水蒸気とを、前記シフト反応触媒上で進行する前記シフト反応に供するように、前記シフト部に供給する供給手段とを備え、
前記シフト反応触媒は、請求項１ないし４いずれか記載のシフト反応触媒であることを特徴とする
一酸化炭素濃度低減装置。
【請求項８】
水素を含有する燃料ガスと酸素を含有する酸化ガスの供給を受けて、電気化学反応により起電力を得る燃料電池を備える燃料電池装置であって、
炭化水素系の燃料を改質して水素リッチガスを生成する改質器と、
一酸化炭素と水蒸気とから水素と二酸化炭素とを生じるシフト反応を促進するシフト反応触媒を備え、前記改質器から前記水素リッチガスの供給を受けて、前記水素リッチガスが含有する一酸化炭素と、前記シフト反応触媒上に供給された水蒸気との間で前記シフト反応を進行させて、前記水素リッチガス中の一酸化炭素濃度を低減するシフト部と、
前記シフト部において一酸化炭素濃度が低減された前記水素リッチガスを、前記燃料ガスとして前記燃料電池に供給する供給手段とを備え、
前記シフト反応触媒は、請求項１ないし４いずれか記載のシフト反応触媒であることを特徴とする
燃料電池装置。
【手続補正２】
【補正対象書類名】明細書
【補正対象項目名】００１０
【補正方法】削除
【補正の内容】
【手続補正３】
【補正対象書類名】明細書
【補正対象項目名】００１１
【補正方法】削除
【補正の内容】
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】削除
【補正の内容】
【手続補正６】
【補正対象書類名】明細書
【補正対象項目名】００１９
【補正方法】変更
【補正の内容】
【００１９】
本発明の一酸化炭素濃度低減方法は、一酸化炭素を含有するガス中の一酸化炭素濃度を低減する一酸化炭素濃度低減方法であって、
（ａ）一酸化炭素と水蒸気とから水素と二酸化炭素とを生じるシフト反応を促進するシフト反応触媒を用い、該シフト反応触媒上に供給される水蒸気と、該シフト反応触媒上に供給される前記ガス中の一酸化炭素との間で前記シフト反応を進行させることによって、前記一酸化炭素濃度を低減する工程を備え、
前記シフト反応触媒は、前記シフト反応を促進する活性を有する触媒金属を備える触媒層と、該触媒層上の少なくとも一部の領域に設けられると共に水蒸気を吸着可能な水蒸気吸着性物質と、を備えており、
前記水蒸気吸着性物質は、前記（ａ）工程において、周囲との間で水蒸気のやり取りを実質的に行なわない平衡状態と、周囲の水蒸気を吸着する吸着状態と、周囲の水蒸気分圧の低下に伴って水蒸気を放出して前記シフト反応に供する放出状態とのうちのいずれかの状態をとることを要旨とする。
【手続補正７】
【補正対象書類名】明細書
【補正対象項目名】００２０
【補正方法】変更
【補正の内容】
【００２０】
このような本発明の一酸化炭素濃度低減方法によれば、周囲の水蒸気分圧の低下に伴って水蒸気吸着性物質が水蒸気を放出し、シフト反応に要する水蒸気を補うことが可能となる。したがって、水蒸気不足に起因してシフト反応の活性が低下してしまうのを抑えることができる。ここで、上記シフト反応触媒上に供給される水蒸気は、上記一酸化炭素を含有するガスに予め含まれるものであってもよく、上記ガスとは別個に、上記シフト反応触媒上に供給されるものであってもよい。また、水蒸気吸着部は触媒層上に設けられるため、シフト反応に供されるガス中の水蒸気分圧の低下に対して、高い応答性で反応して上記水蒸気吸着性物質から水蒸気を放出することができ、シフト反応に要する水蒸気を補うことができる。
【手続補正８】
【補正対象書類名】明細書
【補正対象項目名】００２２
【補正方法】変更
【補正の内容】
【００２２】
本発明の一酸化炭素濃度低減装置は、一酸化炭素を含有するガス中の一酸化炭素濃度を低減する一酸化炭素濃度低減装置であって、
一酸化炭素と水蒸気とから水素と二酸化炭素とを生じるシフト反応を促進するシフト反応触媒を備えるシフト部と、
一酸化炭素を含有するガスと水蒸気とを、前記シフト反応触媒上で進行する前記シフト反応に供するように、前記シフト部に供給する供給手段とを備え、
前記シフト反応触媒は、請求項１ないし４いずれか記載のシフト反応触媒であることを要旨とする。
【手続補正９】
【補正対象書類名】明細書
【補正対象項目名】００２５
【補正方法】変更
【補正の内容】
【００２５】
本発明の燃料電池装置は、水素を含有する燃料ガスと酸素を含有する酸化ガスの供給を受けて、電気化学反応により起電力を得る燃料電池を備える燃料電池装置であって、
炭化水素系の燃料を改質して水素リッチガスを生成する改質器と、
一酸化炭素と水蒸気とから水素と二酸化炭素とを生じるシフト反応を促進するシフト反応触媒を備え、前記改質器から前記水素リッチガスの供給を受けて、前記水素リッチガスが含有する一酸化炭素と、前記シフト反応触媒上に供給された水蒸気との間で前記シフト反応を進行させて、前記水素リッチガス中の一酸化炭素濃度を低減するシフト部と、
前記シフト部において一酸化炭素濃度が低減された前記水素リッチガスを、前記燃料ガスとして前記燃料電池に供給する供給手段とを備え、
前記シフト反応触媒は、請求項１ないし４いずれか記載のシフト反応触媒であることを要旨とする。
【手続補正１０】
【補正対象書類名】明細書
【補正対象項目名】００２８
【補正方法】変更
【補正の内容】
【００２８】
【発明の実施の形態】
以上説明した本発明の構成・作用を一層明らかにするために、本発明の実施の形態を、実施例に基づいて以下の順序で説明する。
１．燃料電池装置１０の全体構成
２．シフト部２０が備えるシフト触媒
３．シフト触媒についての実施例
【手続補正１１】
【補正対象書類名】明細書
【補正対象項目名】００２９
【補正方法】変更
【補正の内容】
【００２９】
（１）燃料電池装置１０の全体構成：
図１は、本発明に関連する燃料電池装置１０の構成の概略を表わすブロック図である。燃料電池装置１０は、ガソリンを貯蔵するガソリンタンク３０、水を貯蔵する水タンク３２、ガソリン中の硫黄分を除去する脱硫器３３、加熱部５０を備える蒸発器３４、改質反応により水素リッチガスを生成する改質器３６、水素リッチガス中の一酸化炭素（ＣＯ）濃度をシフト反応により低減するシフト部２０、水素リッチガス中の一酸化炭素濃度を酸化反応により低減するＣＯ選択酸化部３８、電気化学反応により起電力を得る燃料電池４０、空気を圧縮して燃料電池４０に供給するブロワ４２、コンピュータにより構成される制御部６０を主な構成要素とする。燃料電池装置１０は、シフト部２０が備えるシフト触媒の構成に特徴があるが、まず、図１に基づいて燃料電池装置１０の全体構成について説明する。
【手続補正１２】
【補正対象書類名】明細書
【補正対象項目名】００３４
【補正方法】変更
【補正の内容】
【００３４】
改質器３６は、内部に改質触媒を備えており、供給された上記混合気体を改質して、水素リッチな燃料ガスを生成する。改質触媒としては、白金、パラジウム、ロジウムなどの貴金属、あるいはこれらの合金を用いることができる。なお、改質器３６では、水素リッチガスを生成する際に、水蒸気改質反応に加えて、水素の生成を伴う部分酸化反応も同時に進行する。部分酸化反応は、発熱反応であるため、水蒸気改質反応が進行する際には、上記混合気体が蒸発器３４から持ち込んだ熱に加えて、部分酸化反応で生じた熱も利用される。この部分酸化反応に必要な酸素を供給するために、改質器３６には外部から空気を供給するブロワ５３が併設されている。ブロワ５３は、制御部６０に接続しており、制御部６０によってその駆動状態が制御される。
【手続補正１３】
【補正対象書類名】明細書
【補正対象項目名】００３５
【補正方法】変更
【補正の内容】
【００３５】
上記したように、燃料電池装置１０では、改質器３６に空気を供給し、酸化反応で生じる熱によって水蒸気改質反応で要する熱を賄うこととしたが、改質器３６では酸化反応を行なわず、水蒸気改質反応のみによって水素を生成することとしても良い。あるいは、水素を生成する効率が高い水蒸気改質反応を、部分酸化反応に比べてより多く進行させることとしても良い。このような構成とする場合には、水蒸気改質反応で要する熱を供給するために、改質器３６にヒータなどの加熱装置を設ければよい。
【手続補正１４】
【補正対象書類名】明細書
【補正対象項目名】００３７
【補正方法】変更
【補正の内容】
【００３７】
シフト部２０は、一酸化炭素と水とを反応させて水素と二酸化炭素とを生じるシフト反応を進行させることによって、水素リッチガス中の一酸化炭素濃度を低減する装置であり、シフト反応を促進する触媒を備えている。このようなシフト反応を促進する触媒（触媒金属）としては、銅系触媒などの低温触媒や、鉄系触媒などの高温触媒等が知られている。シフト部２０は、いずれのシフト触媒を備えることとしてもよく、これら低温触媒と高温触媒とを組み合わせることによって、より充分に一酸化炭素濃度を低減する構成としても良い。シフト部２０が備えるシフト触媒の種類は、改質器から排出される水素リッチガス中の一酸化炭素濃度や、燃料電池４０が要求する燃料ガス中の一酸化炭素濃度の限界などに応じて、適宜選択すればよい。シフト部２０は、Ｃｕ−Ｚｎ触媒を備えることとした。以下に、（１）式として、上記シフト触媒によって促進させるシフト反応を表わす式を示す。
【手続補正１５】
【補正対象書類名】明細書
【補正対象項目名】００４７
【補正方法】変更
【補正の内容】
【００４７】
（２）シフト部２０が備えるシフト触媒：
燃料電池装置１０は、シフト部２０が備えるシフト触媒が、既述した触媒金属に加えて、水蒸気を吸着することができる物質であるゼオライトをさらに備えることを特徴としている。ゼオライトは、アルミニウムとケイ素と酸素原子が形成する三次元網目構造の空孔に、アルカリ金属とアルカリ土類金属と水分子とが入った構造を有している。ゼオライト中に含まれる水（結晶水）はゼオライト水と呼ばれ、周囲の水蒸気分圧を低下させることなどにより立体網目構造からこの水分子を取り出し（脱水し）ても、ゼオライトの立体網目構造は維持されて、水分子が存在した空孔はそのまま残り、この空孔に水分子を再び強力に吸着する（復水する）ことができる。
【手続補正１６】
【補正対象書類名】明細書
【補正対象項目名】００４８
【補正方法】変更
【補正の内容】
【００４８】
図２は、シフト部２０が備えるシフト触媒の製造工程を表わす説明図である。シフト部２０が備えるシフト触媒は、触媒金属および上記ゼオライトを、ハニカム上に担持して成る。シフト触媒を製造する際には、まず、触媒金属の調製を行なう（ステップＳ１００）。シフト部２０は、既述したようにシフト触媒としてＣｕ−Ｚｎ触媒を備えているが、ステップＳ１００では、このＣｕ−Ｚｎ触媒を、銅と酸化亜鉛とを用いて周知の共沈法によって調製した。
【手続補正１７】
【補正対象書類名】明細書
【補正対象項目名】００５０
【補正方法】変更
【補正の内容】
【００５０】
以上のように構成された燃料電池装置１０によれば、シフト触媒がゼオライトを備えているため、シフト部２０に供給された水素リッチガス中の水蒸気量が多いときには、上記ゼオライトによって水素リッチガス中の水蒸気を吸着し、水素リッチガス中の水蒸気量が少ないときには、ゼオライトが結晶水として保持していた水分子を放出する。したがって、シフト部２０に供給される水素リッチガス中の水蒸気量が一時的に少なくなり、シフト反応を進行する上で水蒸気量が不十分となる場合にも、ゼオライトが結晶水として保持する水分子を放出してシフト反応に要する水蒸気を補い、シフト反応を良好に進行することが可能となるという効果を得ることができる。
【手続補正１８】
【補正対象書類名】明細書
【補正対象項目名】００５１
【補正方法】変更
【補正の内容】
【００５１】
燃料電池装置１０では、シフト部２０で進行するシフト反応で要する水は、改質器３６で進行する水蒸気改質反応で要する水と共に、蒸発器３４を介して供給される。このとき、水蒸気改質反応およびシフト反応のために蒸発器３４を介して供給される水の量は、改質器３６で進行する水蒸気改質反応の効率（水蒸気量を多くした方が水蒸気改質反応は進行し易い）や、蒸発器３４で水を気化させるためにエネルギを消費することで装置全体のエネルギ効率が低下してしまう程度（蒸発器３４で気化させる水の量を増やすほど燃料電池装置１０のエネルギ効率は低下する）などを考慮しつつ、燃料電池４０に接続される負荷の大きさに応じて（負荷が大きくなるほど生成すべき水素リッチガス量は増えるため、改質反応に供すべきガソリン量および水蒸気量も増える）適宜調節される。
【手続補正１９】
【補正対象書類名】明細書
【補正対象項目名】００５２
【補正方法】変更
【補正の内容】
【００５２】
このように、蒸発器３４を介して供給する水蒸気量を負荷の変動に応じて制御しているときに、所望の水蒸気量が急激に増える場合などには、充分な応答性で供給する水蒸気量を増加させることができず、シフト部２０において一時的に水蒸気量が不足してしまうおそれがある。このような場合にも、シフト部２０では、シフト触媒が備えるゼオライトから、シフト反応で要する水を補うことができ、水が不足することでシフト反応の活性が低下してしまうのを防止することができる。シフト反応の活性を充分に確保できることにより、充分に一酸化炭素濃度を低減した水素リッチガスをＣＯ選択酸化部３８側に供給する動作を安定して行なうことができ、燃料電池４０の性能をより充分に確保することができる。
【手続補正２０】
【補正対象書類名】明細書
【補正対象項目名】００５４
【補正方法】変更
【補正の内容】
【００５４】
このようにシフト部２０に水蒸気生成器を併設する構成とすれば、水蒸気改質反応に要する水蒸気量とは独立して、シフト反応に要する水蒸気量を調節することができ、シフト部２０でシフト反応を進行する際に水蒸気量が不足する場合には、上記水蒸気生成器によって必要な水蒸気をシフト部２０に供給することができる。しかしながら、加熱によって水を気化させるような水蒸気生成器は、所望量の水蒸気を生成するための応答性が必ずしも充分ではない。例えば燃料電池４０に接続される負荷が急激に大きくなり、これに伴って改質器３６で生成される水素リッチガス量が急激に多くなったときなど、シフト部２０に供給すべき水蒸気量が増加した場合にも、水を気化する量を増やしてシフト部２０に実際に供給される水蒸気量が充分に増えるまでには所定の時間を要し、シフト部２０において一時的に水蒸気量が不足する場合が考えられる。このような場合にも、上記シフト触媒を適用することにより、シフト触媒が備えるゼオライトからシフト反応で要する水を補うことが可能となり、水が不足することでシフト反応の活性が低下してしまうのを防止することができる。
【手続補正２１】
【補正対象書類名】明細書
【補正対象項目名】００５７
【補正方法】変更
【補正の内容】
【００５７】
なお、シフト部２０では、シフト触媒が備える触媒金属としてＣｕ−Ｚｎ触媒を用いることとしたが、既述したように他種の触媒金属を用いることとしても良い。いずれの触媒金属を用いてシフト反応を促進する場合にも、触媒金属とゼオライトとを共存させることにより、シフト反応を進行する際に水蒸気が不足するのを防止して、上記構成と同様の効果を得ることができる。
【手続補正２２】
【補正対象書類名】明細書
【補正対象項目名】００５８
【補正方法】変更
【補正の内容】
【００５８】
また、上記シフト部２０では、触媒金属を担持する担体としてハニカムを用いたが、異なる形状の担体を用いることとしても良い。水蒸気吸着性物質であるゼオライトが放出した結晶水が触媒金属上に速やかに供給されるよう、触媒金属とゼオライトとが互いに充分に近くに存在するように、両者を保持することができれば良い。
【手続補正２３】
【補正対象書類名】明細書
【補正対象項目名】００５９
【補正方法】変更
【補正の内容】
【００５９】
（３）シフト触媒についての実施例：
上記シフト部２０では、触媒金属の粉末とゼオライト粉末とを混合してシフト触媒を形成することとしたが、異なる構成とすることもできる。以下に、触媒金属層とゼオライト層とを別個に形成したシフト触媒に関わる実施例を示す。
【手続補正２４】
【補正対象書類名】明細書
【補正対象項目名】００６０
【補正方法】変更
【補正の内容】
【００６０】
図３は、実施例のシフト触媒の様子を表わす説明図、図４は、実施例のシフト触媒の製造工程を表わす工程図である。実施例のシフト触媒は、既述した構成と同様の燃料電池装置１０に設けられたシフト部２０に備えられており、所定の担体上に形成された触媒金属層と、さらにその上に形成されたゼオライト層とからなっている。ここで、シフト触媒を担持する担体としては、既述した構成と同様にハニカムを用いることとしたが、異なる形状の担体を用いても良い。また、実施例のシフト触媒も、既述したシフト触媒と同様に、触媒金属としてＣｕ−Ｚｎ触媒を備えることとしたが、種々の触媒金属を選択可能である。このようなシフト触媒を備えるシフト部２０に対して改質器３６から水蒸気を含有する水素リッチガスが供給されると、この水素リッチガスは、シフト触媒の表面であるゼオライト層上を通過しつつゼオライト層内に拡散し、ゼオライト層の下に設けられた触媒金属層に到達してシフト反応に供される。
【手続補正２５】
【補正対象書類名】明細書
【補正対象項目名】００６１
【補正方法】変更
【補正の内容】
【００６１】
このような実施例のシフト触媒の製造方法を図４に基づいて説明する。まず、触媒金属であるＣｕ−Ｚｎ触媒を調製する（ステップＳ２００）。この工程は、図２に示したシフト触媒の製造工程におけるステップＳ１００と同様の工程である。次に、ステップＳ２００で調製したＣｕ−Ｚｎ触媒を粉砕したものをアルミナスラリなどのバインダと混合し（ステップＳ２１０）、これを上記担体表面に塗布して触媒金属層を形成する（ステップＳ２２０）。
【手続補正２６】
【補正対象書類名】明細書
【補正対象項目名】００６４
【補正方法】変更
【補正の内容】
【００６４】
以上のように構成された実施例のシフト触媒によれば、触媒金属と共にゼオライトを備えているため、既述した構成と同様に、シフト部２０に供給されるガス中の水蒸気分圧が低いときには、ゼオライトから放出される結晶水を利用してシフト反応を進行することが可能となり、水蒸気量が不足することに起因してシフト反応の活性が低下してしまうのを防止することができる。また、触媒金属層上に接してゼオライト層が形成されているため、ゼオライトが放出した結晶水は直ちに触媒金属に供され、シフト反応の活性を維持する効果を充分に得ることが可能となる。
【手続補正２７】
【補正対象書類名】明細書
【補正対象項目名】００６７
【補正方法】変更
【補正の内容】
【００６７】
上記実施例では、ゼオライト層は、触媒金属層上を覆うように形成することとしたが、必ずしも触媒金属層全体を覆う必要はなく、触媒金属層上に充分量のゼオライトが存在すれば、同様の効果を得ることができる。図５は、実施例の変形例としてのシフト触媒の構成を表わす説明図である。
【手続補正２８】
【補正対象書類名】明細書
【補正対象項目名】００６８
【補正方法】変更
【補正の内容】
【００６８】
図５に示したシフト触媒では、実施例と同様に担体上に触媒金属層が形成されているが、シフト触媒が備えるゼオライトは、層を成して触媒金属層を覆うのではなく、触媒金属層上に島状に分散して存在する。このようなシフト触媒を製造するには、まず、図４に示した実施例のシフト触媒の製造工程のステップＳ２００〜ステップＳ２２０と同様の工程によって、担体上に触媒金属層を形成する。次に、ステップＳ２３０に代えて、ゼオライト粉末とアルミナスラリなどのバインダとを混合する工程を行なうが、このとき、水または有機系の液体等の液体を用いて充分にスラリを希釈し、混合したスラリ中におけるゼオライト粉末およびバインダの濃度を充分に低くする。このようにして得たスラリを、担体上に形成した触媒金属層上に塗布して乾燥させれば、図５に示したように、触媒金属層上にゼオライトが島状に分散して存在するシフト触媒を製造することができる。ここで、バインダと混合した触媒金属を担体上に塗布してなる触媒金属層の表面が、凹凸を有している場合には、図５に示した様に、ゼオライトは主に凹部に保持される。また、触媒金属層上にゼオライトが分散する密度は、バインダとゼオライトとを混合してなる上記スラリの濃度と、触媒金属層上に塗布する上記スラリの量とによって、所望の状態に調節できる。
【手続補正２９】
【補正対象書類名】明細書
【補正対象項目名】００６９
【補正方法】変更
【補正の内容】
【００６９】
このような図５に示した実施例の変形例としてのシフト触媒によれば、既述した実施例と同様に、触媒金属に隣接して水蒸気吸着性物質であるゼオライトが存在するため、水蒸気不足に起因してシフト反応の活性が低下してしまうのを防止する効果を得ることができる。また、ゼオライトが触媒金属層上に分散して存在することにより、シフト反応に供される一酸化炭素および水蒸気は、より容易に触媒金属上に到達することができると共に、シフト反応によって生成された水素および二酸化炭素も、より容易に触媒金属上から水素リッチガス中に拡散することができる。
【手続補正３０】
【補正対象書類名】明細書
【補正対象項目名】００７０
【補正方法】変更
【補正の内容】
【００７０】
図６は、参考例としてのシフト触媒の構成を表わす説明図である。参考例のシフト触媒は、実施例のシフト触媒とは逆に、担体上に形成したゼオライト層上に触媒金属層を備えている。このようなシフト触媒を製造するには、まず、ゼオライト粉末とバインダとを混合したものを担体上に塗布してゼオライト層を形成し、その後、既述した実施例と同様に調製した触媒金属の粉末とバインダとを混合したものを、このゼオライト層上に塗布して触媒金属層を形成すればよい。
【手続補正３１】
【補正対象書類名】明細書
【補正対象項目名】００７１
【補正方法】変更
【補正の内容】
【００７１】
このような参考例のシフト触媒も、既述した実施例のシフト触媒と同様に、触媒金属に隣接して水蒸気吸着性物質であるゼオライトが存在するため、水蒸気不足に起因してシフト反応の活性が低下してしまうのを防止する効果を得ることができる。また、参考例のシフト触媒は、シフト触媒の表面側に触媒金属層が形成されているため、シフト反応に供される一酸化炭素および水蒸気が触媒金属上に到達するのが妨げられることがない。
【手続補正３２】
【補正対象書類名】明細書
【補正対象項目名】図面の簡単な説明
【補正方法】変更
【補正の内容】
【図面の簡単な説明】
【図１】
燃料電池装置１０の全体構成を模式的に表わす説明図である。
【図２】
シフト部２０が備えるシフト触媒の製造工程を表わす説明図である。
【図３】
実施例のシフト触媒の様子を表わす説明図である。
【図４】
実施例のシフト触媒の製造工程を表わす工程図である。
【図５】
実施例の変形例としてのシフト触媒の様子を表わす説明図である。
【図６】
参考例のシフト触媒の様子を表わす説明図である。
【符号の説明】
１０…燃料電池装置
２０…シフト部
３０…ガソリンタンク
３２…水タンク
３３…脱硫器
３４…シフト部
３４…蒸発器
３６…改質器
３８…ＣＯ選択酸化部
４０…燃料電池
４２…ブロワ
４３…酸化ガス流路
５０…加熱部
５２，５３，５４，５８…ブロワ
５６，５７，５８…ポンプ
６０…制御部
６２…入出力ポート
６４…ＣＰＵ
６６…ＲＯＭ
６８…ＲＡＭ
７０…燃料流路
７１…分岐路
７２…水流路
７３…燃料流路
７４…燃料ガス流路
７５…ガス流路
７６…流路
７８…燃料ガス流路
７９…燃料排出路